(57)【要約】【課題】  製造が簡易に行われ、半田付け部が同一平面に位置する電気コネクタを提供すること。【解決手段】  本発明の電気コネクタは、絶縁ハウジングと、複数の第１端子と、複数の第２端子と、接地片と、前記絶縁ハウジングを覆い、前記接地片に電気的に接続できるカバーと、を含む。記第１端子は、前記絶縁ハウジングに固持される固持部と、回路基板に電気的に接続できる半田付け部と、相手コネクタに接続できるコンタクト部と、を有する。前記第２端子は、前記絶縁ハウジングに固持される固持部と、相手コネクタに接続できるコンタクト部と、を有する。前記接地片は、前記絶縁ハウジングに固持される固持部と、回路基板に接続できる半田付け部と、を有し、前記複数の第１端子と一列に並べられ且つ、該半田付け部と第１端子の半田付け部とが同一平面に位置する。【選択図】  図１
2006164946.tif 000002
【特許請求の範囲】
【請求項１】
基部と、基部から前方向きに延在し、相対して配置される頂壁と底壁とを有し、頂壁と底壁との間に収容空間が画成され、前記頂壁及び底壁に、前後方向に沿って延在し且つ前記収容空間に連通する収容溝がそれぞれ並んで形成される絶縁ハウジングと、
前記基部に固持される固持部と、固持部から延在し、回路基板に電気的に接続できる半田付け部と、固持部から前向きに沿って延在し、頂壁に並んで形成される収容溝にそれぞれ収容されるコンタクト部と、を有する複数の第１端子と、
前記基部に固持される固持部と、該固持部から前向きに沿って延在し、底壁に並んで形成される収容溝にそれぞれ収容されるコンタクト部と、を有する複数の第２端子と、
前記絶縁ハウジングに固持される固持部と、回路基板に接続できる半田付け部とを有し、前記複数の第１端子と一列に並べられ、該半田付け部と第１端子の半田付け部とが同一平面に位置する接地片と、
前記絶縁ハウジングを覆い、前記接地片に電気的に接続できるカバーと、
を含むことを特徴とする電気コネクタ。
【請求項２】
前記接地片には、相手コネクタに接触するコンタクト部を設けないことを特徴とする、請求項１に記載の電気コネクタ。
【請求項３】
前記カバーには、前記接地片に電気的に接続できる弾性部が設けられることを特徴とする、請求項１に記載の電気コネクタ。
【請求項４】
前記絶縁ハウジングには、前記カバーの弾性部を収容するための通溝が形成され、
前記通溝で弾性部が前記接地片と電気的に接続することを特徴とする、請求項３に記載の電気コネクタ。
【請求項５】
前記絶縁ハウジングには、前記接地片の固持部を収容し、前記通溝に連通する保持溝が形成され、
前記弾性部は、接地片の固持部に弾性的に接触することを特徴とする、請求項４に記載の電気コネクタ。
【請求項６】
前記接地片と前記第１端子とは、同一の金属板からなり、前記絶縁ハウジング内に一列に装着されることを特徴とする、請求項１に記載の電気コネクタ。
【請求項７】
絶縁ハウジングと、
前記絶縁ハウジングに列態様で固持され、固持部と、回路基板に接続できる半田付け部とを有し、これらの半田付け部が同一平面に位置する複数の端子と、
前記絶縁ハウジングを覆い、少なくとも一つの端子に電気的に接続できるカバーと、
を含むことを特徴とする電気コネクタ。
【請求項８】
絶縁ハウジングと、
前記絶縁ハウジング内に一列に固持され、固持部と、回路基板に電気的に接続できる半田付け部と、相手コネクタに電気的に接続できるコンタクト部と、を有する複数の第１端子と、
前記絶縁ハウジングに一列に固持され、前記第１端子と上下方向で対向し、前記絶縁ハウジングに固持される固持部と、相手コネクタに電気的に接続できるコンタクト部とを有し、回路基板に接続する半田付け部を設けない複数の第２端子と、
前記絶縁ハウジングに固持され、第１端子と一列に並べられ、前記絶縁ハウジングに固持される固持部と、回路基板に接続できる半田付け部と、を有し、該半田付け部と前記第１端子の半田付け部とが同一平面に位置し、また、少なくとも一つの第２端子と電気的に接続できる接地片と、を含むことを特徴とする電気コネクタ。
【発明の詳細な説明】
【技術分野】
【０００１】
本発明は、電気コネクタに関し、特に、接地ラインを有する電気コネクタに関するものである。
【背景技術】
【０００２】
従来、このような電気コネクタは、ノートパソコンや携帯電話やファックスなどの電子装置において使用され、一端が相手コネクタに接続され、他端が回路基板に実装される。一般に、このような電気コネクタは、絶縁ハウジングと、この絶縁ハウジングに所定のピッチで横並びに並設された信号端子及び接地片と、絶縁ハウジングに支持されるカバーと、を含み、前記接地片は、カバーと接続することにより、接地ラインに接続される。（例えば、特許文献１参照）。
【特許文献１】米国特許第６,８１１,４３９号明細書
【０００３】
特許文献１に示されたように、この公知された従来の電気コネクタの絶縁ハウジングは、矩形形状の基部と、該基部から前向きに延在する頂壁及び底壁と、前記頂壁と底壁ならなる収容空間と、を含む。前記信号端子は基部に装着され、収容空間から前向きに延在するコンタクト部と、後向きに延在する半田付け部と、を有する。前記接地板は金属板からなり、絶縁ハウジングに保持され、前記信号端子の半田付け部の外側に位置する半田付け部が形成される。該電気コネクタがSMT（Surface Mounting Technology）を通じて回路基板に実装される際に、これらの半田付け部は回路基板に半田付けされる。
【発明の開示】
【発明が解決しようとする課題】
【０００４】
前記信号端子と接地片との半田付け部は、同一平面に位置する場合に、これらの半田付け部が回路基板との半田付けの効果が良くなる。しかしながら、信号端子と接地片の半田付け部は、異なる金属板でそれぞれ打ち抜き加工し形成されることで、これらの半田付け部を同一平面に位置づけることは保証し難い。また、製造が複雑になってしまう。
【０００５】
そこで、前記従来の電気コネクタの欠点を改良した新型の電気コネクタを開発する必要がある。
【０００６】
本発明は、製造が簡易であり、半田付け部が同一平面に位置する電気コネクタを提供することを目的とする。
【課題を解決するための手段】
【０００７】
前記の目的を達成するために、本発明の電気コネクタは絶縁ハウジングと、複数の第１端子と、複数の第２端子と、接地片と、前記絶縁ハウジングを覆い、前記接地片に電気的に接続できるカバーと、を含む。前記絶縁ハウジングは、基部と、基部から前方向きに延在し、相対して配置される頂壁と底壁と、を有し、頂壁と底壁との間に収容空間が画成され、前記頂壁及び底壁に、前後方向に沿って延在し且つ収容空間に連通する収容溝がそれぞれ並んで形成される。前記第１端子は、前記基部に固持される固持部と、固持部から延在し、回路基板に電気的に接続できる半田付け部と、固持部から前方向きに沿って延在し、頂壁に並んで形成される収容溝にそれぞれ収容されるコンタクト部と、を有する。前記第２端子は、前記基部に固持される固持部と、該固持部から前方向きに沿って延在し、底壁に並んで形成される収容溝にそれぞれ収容されるコンタクト部と、を有する。前記接地片は、前記絶縁ハウジングに固持される固持部と、回路基板に接続できる半田付け部と、を有し、前記複数の第１端子と一列に並べられ、該半田付け部と第１端子の半田付け部とが同一平面に位置する。
【０００８】
また、本発明の電気コネクタは絶縁ハウジングと、複数の端子と、前記絶縁ハウジングを覆い、少なくとも一つの端子に電気的に接続できるカバーと、を含む。前記複数の端子は、前記絶縁ハウジングに列態様で固持され、固持部と、回路基板に接続できる半田付け部と、を有し、これらの半田付け部が同一平面に位置する。
【０００９】
また、本発明の電気コネクタは絶縁ハウジングと、複数の第１端子と、複数の第２端子と、接地片と、を含む。前記複数の第１端子は、絶縁ハウジングに一列態様で固持され、固持部と、回路基板に電気的に接続できる半田付け部と、相手コネクタに電気的に接続できるコンタクト部と、を有する。前記複数の第２端子は、前記絶縁ハウジングに一列態様で固持され、前記第１端子と上下方向で対向し、前記絶縁ハウジングに固持される固持部と、相手コネクタに電気的に接続できるコンタクト部と、を有し、回路基板に接続される半田付け部を設けない。前記接地片は、前記絶縁ハウジングに固持され、第１端子と一列に並べられ、前記絶縁ハウジングに固持される固持部と、回路基板に接続できる半田付け部と、を有し、該半田付け部と前記第１端子の半田付け部とが同一平面に位置し、また、該接地片が、少なくとも一つの第２端子と電気的に接続できる。
【発明の効果】
【００１０】
従来の技術に比較して、本発明は以下の効果を有する。第１端子と接地片とは同一の金属板からなり、絶縁ハウジング内に列態様で固持され、且つ、カバーと第２端子とが半田付け部を設けないことで、製造が簡易なだけではなく、第１端子と接地片との半田付け部が同一平面に位置することが保証され、さらに、電気コネクタの半田付け部と回路基板との間の半田付け操作がためになる。
【発明を実施するための最良の形態】
【００１１】
図１〜図６に基づいて本発明の電気コネクタについて説明する。本発明の電気コネクタ１００は、絶縁ハウジング１０と、カバー２０と、第１端子３０と、第２端子４０と、接地片３１と、を含み、絶縁ハウジング１０は絶縁材料からなり、カバー２０と第１端子３０と第２端子４０と接地片３１とは、金属板からなり、打ち抜き加工手段で製造され、その第１端子３０は、信号を伝送する信号端子であり、その第２端子４０は、接地端子である。
【００１２】
図１及び図３に示すように、前記絶縁ハウジング１０は、矩形形状を呈し、基部１１２と、基部１１２から前向きに延在し、相対する頂壁１１０と底壁１１1と、を含み、頂壁１１０と底壁１１２との間に収容空間１７０が画成される。前記頂壁１１０と底壁１１１との内側に、収容空間１７０に連通し且つ絶縁ハウジング１０を前後方向に沿って貫通する収容溝１１３、１１４がそれぞれ並んで形成される、且つ頂壁１１０と底壁１１１との外側に複数の固持溝１１５、１１６がそれぞれ形成され、底壁１１１の固持溝１１６が前記収容溝１１４に連通する。前記基部１１２の長手方向の端部には、前後方向に沿って貫通する通孔１２１が形成される凸部１２０が延在して形成される。
【００１３】
図１及び図３を参照すると、前記第１端子３０と接地片３１とは、同一の金属板からなり、第１端子３０は前記基部１１２に装着される固持部３１０と、固持部３１０から延在し、回路基板に接続される半田付け部３２０と、固持部３１０から前方向に沿って延在し、収容溝１１３に収容され且つ収容空間１７０内に突出するコンタクト部３３０と、を有し、コンタクト部３３０は、相手コネクタ（図示せず）の導電端子に電気的に接続できる。接地片３１は、本実施状態で、第１端子３０の両側に位置し、且つ第１端子３０と一列に並べられる。接地片３１は、カバー２０の接地半田脚だけとすることで、相手コネクタの導電端子に接続するコンタクト部を配置しない。接地片３１には、カバー２０を回路基板（図示せず）に実装するために、回路基板に接続できる半田付け部３４０と、絶縁ハウジング１０に固持される固持部（参照符号なし）と、を有する。
【００１４】
また、前記絶縁ハウジング１０の基部１１２には、接地片３１の固持部を保持するのに用いられる保持溝１１９が形成される。前記絶縁ハウジング１０の頂壁１１０には、保持溝１１９に対応し、且つ収容空間１７０及び頂壁１１０を貫通する通溝１１８が形成され、前記保持溝１１９の先端は通溝１１８の後端に連通する。
【００１５】
図６を参照すると、前記第２端子４０は、絶縁ハウジング１０の収容溝１１４に装着され、基部１１２に保持される固持部４１０と、該固持部４１０から折曲延在し、固持溝１１６に収容される折曲部４２０と、固持部４１０から前向きに延在し、収容空間１７０から突出するコンタクト部４３０と、を有する。
【００１６】
図１乃至図６を参照すると、前記カバー２０は、絶縁ハウジング１０の頂壁１１０を覆う天板２１と、底壁１１２を覆う底板２２と、カバー２０の先端（参照符号なし）の端部から後向きに延在する保持部２００と、を含み、前記天板２１と底板２２の後端には、前記固持溝１１５、１１６に収容される固持片２１１、２２１が形成され、また、天板２１の後端には前記通溝１１８に収容される弾性部２１２が形成される。
【００１７】
取付時に、前記第１端子３０は、前記絶縁ハウジング１０の頂壁１１０の内側に形成した収容溝１１３に装着され、また、前記第２端子４０は、絶縁ハウジング１０の底壁１１１に形成した収容溝１１４に装着される。前記カバー２０は、固持片２１１、２２１が絶縁ハウジング１０の固持溝１１５、１１６にそれぞれ係合すると共に保持部２００が絶縁ハウジング１０の通孔１２１に係合することにより、絶縁ハウジング１０に係合する。前記カバー２０の天板２１に形成する弾性部２１２は、前記通溝１１８に収容されると共に、前記接地片３１の固持部が前記保持溝１１９に固持されることで、前記弾性部２１２が前記接地片３１の固持部に弾性的に接触する。また、前記カバー２０の固持片２２１は絶縁ハウジング１０の固持溝１１６に収容され、前記第２端子４０の折曲部４２０に弾性的に接触する。
【００１８】
相手コネクタ（図示せず）を電気コネクタ１００に挿入する際に、相手コネクタの接地片が第２端子４０のコンタクト部４３０に接触する。前記カバー２０と、カバー２０に連接する第２端子４０及び接地片３１とは、接地ラインに接続され、これにより、接地信号が回路基板（図示せず）に伝送される。前記第２端子４０は、前記カバー２０を通じて接地片３１に連接することで、半田付け部を配置しなくてもよい。
【００１９】
本発明の電気コネクタ１００で、前記第１端子３０と接地片３１は、同一の金属板からなり、即ち、第１端子３０と接地片３１には、打ち抜き加工手段で同時に形成される半田付け部３２０、３４０が設けられることにより、半田付け部３２０、３４０が同一平面に位置することが保証される。また、半田付け部３２０、３４０は、絶縁ハウジング１０内に同時に一列に装着され、カバー２０に接続することで、接地ラインを構成する。本発明に係る電気コネクタ１００は、半田付け部３２０、３４０を同一平面上に位置づけることが容易になるだけでなく、製造を簡易に行える。
【００２０】
本発明は上記記述及び図面によって説明した実施例に限定されるものではなく、例えば、次のような実施態様も本発明の技術的範囲に含まれ、さらに、下記以外にも要旨を逸脱しない範囲内で種々変更して実施することができる。例えば、第２端子４０は一列に並設され、接地片３１に電気的に接続でき、こうして、第２端子４０と接地片３１が接地ラインを構成する。また、接地片３１は第１端子３０の外側に位置せず、一対の第１端子３０の間に位置し得る。
【００２１】
総じて、本発明の多数の特徴及び長所など、その構造及び機能が共に前述の記載により掲げられている。本発明に基づきなし得る細部の修正或は変更などに関する前記の説明は、いずれも本発明の特許請求の範囲に属するものである。
【図面の簡単な説明】
【００２２】
【図１】本発明に係る電気コネクタの分解斜視図である。
【図２】図１に示す電気コネクタの組合せ斜視図である。
【図３】本発明に係る電気コネクタの他の角度から見た分解斜視図である。
【図４】図３に示す電気コネクタの組合せ斜視図である。
【図５】図２に示す電気コネクタのＶ−Ｖ線で切断した断面図である。
【図６】図２に示す電気コネクタのＶＩ−ＶＩ線で切断した断面図である。
【符号の説明】
【００２３】
１０  絶縁ハウジング
２０  カバー
２１  天板
２２  底板
３０  第１端子
３１  接地片
４０  第２端子
１００  電気コネクタ
１１０  頂壁
１１１  底壁
１１２  基部
１１３、１１４  収容溝
１１５、１１６  固持溝
１１８  通溝
１１９  保持溝
１２０  凸部
１２１  通孔
１７０  収容空間
２００  保持部
２１１、２２１  固持片
２１２  弾性部
３１０、４１０  固持部
３２０、３４０  半田付け部
３３０、４３０  コンタクト部
４２０  折曲部
【図１】
2006164946.tif 000003
【図２】
2006164946.tif 000004
【図３】
2006164946.tif 000005
【図４】
2006164946.tif 000006
【図５】
2006164946.tif 000007
【図６】
2006164946.tif 000008